(57)【特許請求の範囲】
【請求項１】
複数のデジタルビデオデータを記憶するビデオサーバと、
このビデオサーバに対してビデオデータの送信要求を行い、このビデオサーバから受信したデータ圧縮されたビデオデータをデコーダ部で再生してモニタ装置に表示させるクライアントと
を備えたＶＯＤシステムにおいて、
前記クライアントは、
前記デジタルビデオデータに含まれるシーンの前記デジタルビデオデータ内における先頭からの開始時間及び終了時間、前記開始時間からのオフセット時間、前記オフセット時間からのフレーム数、シーン標題及び前記デジタルビデオデータのタイトルをシーン情報として対応づけて記憶するシーン情報記憶部と、
入力したシーン標題を指定したシーン再生要求に応じて、このシーン標題に対応する開始時間、終了時間及びタイトルとを前記ビデオサーバへ前記送信要求に組込んで送信する手段と、
前記ビデオサーバから受信したデータ圧縮されたビデオデータを、デコーダ部にて、前記指定されたシーン標題に対応するオフセット時間が指定する位置から、前記指定されたシーン標題に対応するフレーム数分だけ再生して前記モニタ装置に表示させる手段と
を有し
前記ビデオサーバは、
前記複数のデジタルビデオデータの中から前記送信要求に含まれるタイトルのデジタルビデオデータにおける前記開始時間及び終了時間が指定する時間領域のビデオデータを抽出して前記クライアントへ送信する
ことを特徴とするＶＯＤシステム。
【請求項２】
前記クライアントは、
前記ビデオサーバから受信したビデオデータの再生中に操作指定されたシーンの時間位置情報を前記ビデオサーバから取得して、同じく指定されたシーン標題及びタイトルを付して前記シーン情報記憶部へ登録する手段
を有したことを特徴とする請求項１記載のＶＯＤシステム。
【請求項３】
前記クライアントは、
編集操作に応じて前記シーン情報記憶部に登録された複数のシーン情報をまとめて新たなシーン標題を付して前記シーン情報記憶部に登録する手段
を有したことを特徴とする請求項２記載のＶＯＤシステム。
【発明の詳細な説明】
【０００１】
【発明の属する技術分野】
本発明は、デジタルビデオデータを記憶するビデオサーバと、このビデオサーバに対してビデオデータの送信要求を行うクライアントとからなるＶＯＤシステム（ビデオ・オン・デマンド・システム）に関する。
【０００２】
【従来の技術】
近年のＶＯＤシステムにおいては、ビデオサーバから各クライアントに対して高画質のデジタルビデオデータを配信することができる。
【０００３】
このようなＶＯＤシステムにおいては、ビデオサーバは多数のデジタルビデオデータをビデオデータファイルに記憶保持している。そして、このビデオサーバに対して公衆電話網を含む各種の通信網を介して接続されたクライアントから、デジタルビデオデータのタイトルを指定したビデオデータの送信要求が入力されると、ビデオサーバは、ビデオデータファイルから指定されたデジタルビデオデータを読出して、要求元のクライアントへ送信する。
【０００４】
クライアントは、ビデオサーバからオンラインで供給されるデジタルビデオデータをデコーダ部で映像信号に再生して、モニタ装置で表示させる。
【０００５】
このようなＶＯＤシステムにおいて、クライアントを扱うユーザ（顧客）にとっては、ビデオサーバからデジタルビデオデータで供給される例えば映画等の最初から最後までの全部の画像が必要でなく、その一部のシーン（場面）のみが必要な場合がある。
【０００６】
具体的には、このクライアントが一般家庭に設置されている場合、ユーザ（顧客）は過去に見た映画における感動的なシーン（場面）のみを繰り返して見たい欲求に駆られる場合がある。また、クライアントが放送局や映像作成会社に設置されている場合、ユーザ（顧客）は、ビデオサーバに記憶されている多数の過去のニュース映像からなるデジタルビデオデータにおける必要なニュース映像のなかの各シーン（場面）を取出して、編集して新たな映像を作成したり、取出した各シーンを新たに作成する映像に組込む。
【０００７】
このようにユーザ（顧客）は、ＶＯＤシステムに対して種々の使用形態に対応できることを要求している。
【０００８】
【発明が解決しようとする課題】
しかしながら、従来のＶＯＤシステムにおいては、各クライアントからタイトルを指定したビデオデータの送信要求が入力すると、ビデオデータファイルから指定されたタイトルのデジタルビデオデータを読出して、そのデジタルビデオデータにおける先頭位置から最終位置まで順番に要求元のクライアントへ送信する。
【０００９】
したがって、クライアントのユーザ（顧客）にとっては、目的とするシーン（場面）がモニタ装置に現れるまで待つ必要がある。特に、デジタルビデオデータが劇場映画等の開始から終了まで１時間以上を有する場合においては、複数のデジタルビデオデータから目的とする各シーンを短時間で取出すことは非常に困難であった。
【００１０】
また、クライアントが放送局や映画作成会社に設置されている場合、ビデオサーバから受信した各デジタルビデオデータを一旦ＨＤＤ等の、任意の記憶位置からデータの読出し可能な記憶媒体に記憶保持しておき、この記憶媒体から必要なシーン（場面）を即座に取出ことが考えられる。
【００１１】
しかし、長時間に亘る動画データを記憶するためには、記憶媒体の必要とする記憶容量が膨大になり、クライアントの製造費が大幅に上昇する。さらに、ビデオサーバから受信したデジタルビデオデータを一旦記憶媒体に記憶することは、ユーザ（顧客）が要求した時点でかつ実時間でデジタルビデオデータを再生し、鑑賞できるＶＤＯシステムの本来の機能を果たしていない。
【００１２】
本発明はこのような事情に鑑みてなされたものであり、クライアント側からビデオサーバに対して、ユーザ（顧客）が必要とするシーンのデジタルビデオデータ内における時間位置時間を指定可能とすることによって、ビデオサーバからユーザ（顧客）が必要とするシーンのビデオデータのみを受信して再生することができ、ユーザ（顧客）にとってほぼ実時間で必要とするシーンのみを得ることができ、ユーザ（顧客）に対するサービスを大幅に向上できるＶＯＤシステムを提供することを目的とする。
【００１３】
【課題を解決するための手段】
本発明は、複数のデジタルビデオデータを記憶するビデオサーバと、このビデオサーバに対してビデオデータの送信要求を行い、このビデオサーバから受信したビデオデータを再生するクライアントとを備えたＶＯＤシステムに適用される。
【００１４】
そして、上記課題を解消するために、本発明においては、クライアントに対して、デジタルビデオデータに含まれるシーンのデジタルビデオデータ内における時間位置情報、シーン標題及びデジタルビデオデータのタイトルをシーン情報として記憶するシーン情報記憶部と、入力したシーン標題を指定したシーン再生要求に応じて、このシーン標題に対応する時間位置情報とタイトルとをビデオサーバへ送信要求に組込んで送信する手段とを付加している。
【００１５】
さらに、ビデオサーバは、複数のデジタルビデオデータの中から送信要求に含まれるタイトルのデジタルビデオデータにおける時間位置情報が指定する時間領域のビデオデータを読出してクライアントへ送信する。
【００１６】
このように構成されたＶＯＤシステムにおいては、クライアントのシーン情報記憶部内には、各シーンのデジタルビデオデータ内における時間位置情報、シーン標題及びデジタルビデオデータのタイトルがシーン情報として記憶されている。
【００１７】
そして、クライアントのユーザ（顧客）は、自己が見たいシーン（場面）のシーン標題を操作入力すると、このシーンの時間位置情報とデジタルビデオデータのタイトルがビデオサーバへビデオデータの送信要求として送信される。
【００１８】
したがって、ビデオサーバは、記憶している複数のデジタルビデオデータのなかの指定されたタイトルのデジタルビデオデータにおける時間位置情報で指定された時間領域のビデオデータを送信要求元のクライアントへ送信する。
【００１９】
しかして、クライアントにおいては、目的とするシーン（場面）のみが再生される。
【００２０】
また、別の発明においては、上述した発明のＶＯＤシステムにおけるクライアントに対して、ビデオサーバから受信したビデオデータの再生中に操作指定されたシーンの時間位置情報をビデオサーバから取得して、同じく指定指定されたシーン標題及びタイトルを付してシーン情報記憶部へ登録する手段を付加している。
【００２１】
このように構成されたＶＯＤシステムにおいては、例えば、クライアントのユーザ（顧客）が、自己が再度見たいシーン（場面）を自己のクライアントへ登録する場合、該当シーンを含むデジタルビデオデータをビデオサーバから受信して再生中に、自己が登録したいシーンが現れた時に開始指示を行い、該当シーンが終了した時に終了指示を行えば、ビデオサーバから該当シーンのデジタルビデオデータ上における時間位置情報が送信されてきてクライアントのシーン情報記憶部へ登録される。
【００２２】
このように、クライアントのユーザ（顧客）は、自己が見たい任意のシーンを登録することができる。
【００２３】
さらに別の発明においては、上述した発明のＶＯＤシステムにおけるクライアントに対して、編集操作に応じてシーン情報記憶部に登録された複数のシーン情報をまとめて新たなシーン標題を付してシーン情報記憶部に登録する手段を付加している。
【００２４】
このように構成されたＶＯＤシステムにおいては、簡単にシーン情報記憶部に登録された複数のシーンをまとめることができるので、例えば、放送局や映像制作会社においては、映像の編集作業の作業能率を向上させることができる。
【００２５】
さらに、別の発明は、複数のデジタルビデオデータを記憶するビデオサーバと、このビデオサーバに対してビデオデータの送信要求を行い、このビデオサーバから受信したデータ圧縮されたビデオデータをデコーダ部で再生してモニタ装置に表示させるクライアントとを備えたＶＯＤシステムに適用される。
【００２６】
そして、クライアントに対して、デジタルビデオデータに含まれるシーンのデジタルビデオデータ内における開始時間、終了時間、オフセット時間、フレーム数、シーン標題及びデジタルビデオデータのタイトルをシーン情報として記憶するシーン情報記憶部と、入力したシーン標題を指定したシーン再生要求に応じて、このシーン標題に対応する開始時間、終了時間及びタイトルとをビデオサーバへ送信要求に組込んで送信する手段と、ビデオサーバから受信したデータ圧縮されたビデオデータを、デコーダ部にて、指定されたシーン標題に対応するオフセット時間が指定する位置から、指定されたシーン標題に対応するフレーム数分だけ再生してモニタ装置に表示させる手段とを付加している。
【００２７】
また、ビデオサーバは、複数のデジタルビデオデータの中から送信要求に含まれるタイトルのデジタルビデオデータにおける時間位置情報が指定する時間領域のビデオデータを抽出してクライアントへ送信する。
【００２８】
先ず、このように構成されたＶＯＤシステムの動作原理を説明する。
各デジタルビデオデータはデータ圧縮（画像圧縮）された状態で記憶されている。そして、このデータ圧縮された状態でクライアントへ送信される。このデータ圧縮（画像圧縮）手法に、ＭＰＥＧ手法を採用した場合、フレーム間圧縮を行う場合、所定フレーム数毎に基準フレーム（Ｉピクチャ）を挿入して、基準フレーム相互間の各フレームにおいては、一つ前のフレームからの差分情報のみしか含まれない。
【００２９】
したがって、必要とするシーンのフレームを再生するためには、該当フレームから、一つ前の基準フレーム（Ｉピクチャ）から該当フレームまでの間に存在する各フレームが必要となる。そのために、必要とするシーンのフレームから、最低限、基準フレーム（Ｉピクチャ）が含まれる１周期分のフレームデータを取得する必要がある。その１周期分の時間をオフセット時間と称する。
【００３０】
データ圧縮（画像圧縮）されたデジタルビデオデータ内におけるデジタルビデオデータの開始時刻と、必要とするシーンの開始時間と、オフセット時間と、終了時間との相互関係を図７に示す。ビデオサーバからクライアントへは開始時間から終了時間までのデータ圧宿されたビデオデータが送信される。
【００３１】
クライアントのデコーダ部は、本来、開始時間から終了時間までのデータ圧宿されたビデオデータを画像信号（再生データ）に再生（復号）するが、オフセット時間内に存在する各フレームを再生する必要がない。また、必要とするシーンのフレームの終了から終了時間までのフレームも必要ない。
【００３２】
したがって、本発明においては、デコーダ部に対してオフセット時間及びフレーム数を送出して、真に必要なシーンのみを再生出力させている。
【００３３】
【発明の実施の形態】
以下、本発明の各実施形態を図面を用いて説明する。
（第１実施形態）
図１は本発明の第１実施形態に係るＶＯＤシステムの概略構成を示すブロック図である。１台のビデオサーバ１に対して通信網２を介して複数台のクライアント３が接続されている。なお、図１においては、説明を簡素化するために１台のクライアント３しか記載していないが、実際のシステムにおいては複数台のクライアント３が接続されている。
【００３４】
ビデオサーバ１内には、各クライアント３に提供するための複数のデジタルビデオデータが記憶されているビデオデータファイル４が設けられている。さらにこのビデオサーバ１内には、通信網２を介して各クライアント３との間でデータ伝送を行うための通信ＩＦ（インタフェース）５、要求受信部６、ビデオデータ読出部７、ビデオデータ送信部８等が設けられている。
【００３５】
また、クライアント３内には、このクライアント３のユーザ（顧客）が、ビデオサーバ１から取り寄せたいデジタルビデオデータに対する送信要求や特定のシーン（場面）に対する送信要求を入力するための操作パネル（ユーザＩＦ）９、ビデオサーバ１に対して各種要求を通信ＩＦ１１を介してビデオサーバ１へ送信する要求送信部１０、通信ＩＦ１１を介してデジタルビデオデータやシーン（場面）の時間位置情報を受信するデータ受信部１２等が設けられている。
【００３６】
さらに、このクライアント３内には、受信したデジタルビデオデータを再生してモニタ装置１４へ表示出力するデコーダ部１３、シーン情報テーブル１５、シーン情報読出部１６、シーン情報作成部１７、シーン情報登録部１８、シーン情報編集部１９が設けられている。
【００３７】
シーン情報記憶部としてのシーン情報テーブル１５内には、図２に示すように、ビデオサーバ１のビデオデータファイル４に記憶されたデジタルビデオデータに含まれる、このクライアント３のユーザ（顧客）が指定した各シーン（場面）のシーン標題、該当シーンが含まれるデジタルビデオデータのビデオタイトル、図７に示す、該当デジタルビデオデータの開始時刻（先頭位置）からの開始時間、同じく該当デジタルビデオデータの開始時刻（先頭位置）からの終了時間が記憶されている。
【００３８】
このように構成されたＶＯＤシステムのクライアント３におけるシーン情報作成部１７におけるシーン情報のシーン情報テーブル１５に対する登録処理を図３の流れ図を用いて説明する。
【００３９】
操作パネル９を介してこのクライアント３のユーザ（顧客）から登録したいシーン（顧客）が所属するデジタルビデオデータのビデオタイトルが入力されると（Ｓ１）、このビデオタイトルを送信要求に組込んで、送信要求送信部１０及び通信ＩＦ１１を介してビデオサーバ１へ送信する（Ｓ２）。
【００４０】
ビデオサーバ１の要求受信部６は、通信ＩＦ５を介してビデオタイトルを指定した送信要求を受信すると、このビデオタイトルをビデオデータ読出部７へ送出する。ビデオデータ読出部７は、ビデオデータファイル４から指定されたビデオタイトルのデジタルビデオデータの読出しを開始する。ビデオデータ送信部８は読出されたデジタルビデオデータを通信ＩＦ５及び通信網２を介して要求元のクライアント３へ送信開始する。
【００４１】
クライアント１のデータ受信部１２は、ビデオサーバ１から通信ＩＦ１１を介して該当ビデオタイトルのデジタルビデオデータを受信開始すると、デコーダ部１３へこの受信したデジタルビデオデータの送信を開始する。その結果、デコーダ部１３は、デジタルビデオデータを映像信号に再生して、モニタ装置１４へ送出する。
【００４２】
モニタ装置１４が画像の表示を開始し（Ｓ３）、その後、操作パネル９からシーンの開始指示が入力されると（Ｓ４）、このシーンに対する開始時間の問い合せを要求信号に組込んでビデオサーバ１へ送信する（Ｓ５）。
【００４３】
ビデオサーバ１の要求受信部６は、開始時間の問い合せの要求信号を受信すると、この開始時間の問い合せをビデオデータ読出部７へ送出する。ビデオデータ読出部７は、ビデオデータファイル４から現在読出し中のデジタルビデオデータの先頭位置から現在位置までの経過時間を開始時間として取出して、通信ＩＦ５を介して要求元のクライアント３へ送信する。
【００４４】
クライアント１のデータ受信部１２は、ビデオサーバ１から通信ＩＦ１１を介して該当シーンの開始時間を受信すると（Ｓ６）、シーン情報作成部１７へ送出する。シーン情報作成部１７はこの開始時間をシーン情報登録部１８を介して、図２に示したシーン情報テーブル１５の新規領域に書込む（Ｓ７）。
【００４５】
続いて、操作パネル９からシーンの終了指示が入力されると（Ｓ８）、このシーンに対する終了時間の問い合せを要求信号に組込んでビデオサーバ１へ送信する（Ｓ９）。
【００４６】
ビデオサーバ１の要求受信部６は、終了時間の問い合せを受信すると、この終了時間の問い合せをビデオデータ読出部７へ送出する。ビデオデータ読出部７は、ビデオデータファイル４から現在読出し中のデジタルビデオデータの先頭位置から現在位置までの経過時間を終了時間として取出して、通信ＩＦ５を介して要求元のクライアント３へ送信する。
【００４７】
クライアント１のデータ受信部１２は、ビデオサーバ１から通信ＩＦ１１を介して該当シーンの終了時間を受信すると（Ｓ１０）、シーン情報作成部１７へ送出する。シーン情報作成部１７はこの終了時間をシーン情報登録部１８を介して、図２に示したシーン情報テーブル１５における先に開始時間を書込んだ領域に追加して書込む（Ｓ１１）。
【００４８】
次に、操作パネル９からユーザ（顧客）が任意に付けたシーンの標題が入力されると（Ｓ１２）、シーン情報登録部１８を介して、今回のシーン標題、先に入力したビデオタイトルを図２に示したシーン情報テーブル１５における先に開始時間、終了時間を書込んだ領域に追加して書込む（Ｓ１３）。
【００４９】
次に、このようにシーン情報テーブル１５にシーン標題、ビデオタイトル、開始時間、終了時間からなるシーン情報が登録された状態において、クライアント３は図４に示す流れ図に従ってシーン再生処理を実施する。
【００５０】
操作パネル９を介して、ユーザ（顧客）が指定したシーン標題が入力されると（Ｑ１）、シーン情報読出部１６が起動してシーン情報テーブル１５から、該当シーン標題に対応するビデオタイトル、開始時間、終了時間を読出して（Ｑ２）、送信要求に組込んで、ビデオサーバ１へ送信する（Ｑ３）。
【００５１】
ビデオサーバ１の要求受信部６は、通信ＩＦ５を介してビデオタイトル、開始時間、終了時間を指定した送信要求を受信すると、このビデオタイトル、開始時間、終了時間をビデオデータ読出部７へ送出する。ビデオデータ読出部７は、ビデオデータファイル４から指定されたビデオタイトルのデジタルビデオデータのうち開始時間、終了時間で指定された時間領域のビデオデータを読出し開始する。ビデオデータ送信部８は読出されたビデオデータを通信ＩＦ５及び通信網２を介して要求元のクライアント３へ送信開始する。
【００５２】
クライアント１のデータ受信部１２は、ビデオサーバ１から通信ＩＦ１１を介して該当タイトルのデジタルビデオデータのうちの開始時間、終了時間で指定されたビデオデータを受信開始すると（Ｑ４）、デコーダ部１３へこのビデオデータの送信を開始する。その結果、デコーダ部１３は、ビデオデータを映像信号に再生して、モニタ装置１４へ送出する（Ｑ５）。その結果、モニタ装置１４には、このクライアント３のユーザ（顧客）が指定した、シーン標題のシーン（場面）のみが表示される。
【００５３】
また、このクライアント３は、シーン情報テーブル１５内に既に設定されている複数のシーン情報をまとめて新たなシーン標題を付して、このシーン情報テーブル１５内に新たに登録することが可能である。
【００５４】
具体的には、ユーザ（顧客）が、編集モード時に、操作パネル９からまとめるべき、複数のシーンのシーン標題及び新規のシーン標題を入力すると、シーン情報編集部１９が起動して、シーン情報テーブル１５内に、新規のシーン標題と、この新規のシーン標題に含まれる各シーンのビデオタイトル、開始時間、終了時間とを新たな領域に設定する。
【００５５】
そして、シーン再生時のこのまとめられたシーン標題のシーンを再生する場合、このまとめられたシーン標題を入力すると、シーン情報テーブル１５内に記憶されているまとめられたシーン標題に対応する各シーンのビデオタイトル、開始時間、終了時間が読出されて送信要求に組込まれてビデオサーバ１へ送信される。
【００５６】
ビデオサーバ１は、受信した送信要求に組込まれた各シーンのビデオタイトル、開始時間、終了時間が指定する複数のビデオデータをビデオデータファイル４から読出して、連続して送信要求元のクライアント３へ送信する。
クライアント３は受信した、複数のビデオデータをモニタ装置１４へ連続して表示させる。
【００５７】
このように構成されたＶＯＤシステムにおいては、クライアント３のシーン情報テーブル１５内には、このクライアント３のユーザ（顧客）が設定した各シーンのデジタルビデオデータ内における開始時間、終了時間、シーン標題及びデジタルビデオデータのビデオタイトルがシーン情報として記憶されている。
【００５８】
そして、クライアント３のユーザ（顧客）が、自己が見たいシーン（場面）のシーン標題を操作パネル９から操作入力すると、ビデオサーバ１から指定したシーン（場面）のビデオデータのみが送信されてくる。その結果、クライアント３においては、目的とするシーン（場面）のみがモニタ装置１４で再生表示される。
【００５９】
また、クライアント３のユーザ（顧客）は、自己が再度見たいシーン（場面）を自己のクライアント３のシーン情報テーブル１５へ登録する場合、該当シーンを含むデジタルビデオデータをビデオサーバ２から受信して再生期間中に、シーンの開始指示と終了指示とシーン標題とを指定するのみでよいので、クライアント３のユーザ（顧客）は、自己が見たい任意のシーンを簡単に登録することができる。
【００６０】
さらに、、簡単にシーン情報テーブル１５に登録された複数のシーンをまとめることができるので、例えば、放送局や映像制作会社においては、映像の編集作業の作業能率を向上させることができる。
【００６１】
（第２実施形態）
図５は本発明の第２実施形態に係るＶＯＤシステムの概略構成を示すブロック図である。図１に示す第１実施形態のＶＯＤシステムと同一部分には同一符号を付して詳細説明を省略する。
【００６２】
この第２実施形態に係るＶＯＤシステムのクライアント３ａのシーン情報テーブル１５ａ内には、図６に示すように、ビデオサーバ１のビデオデータファイル４に記憶されたデジタルビデオデータに含まれる、このクライアント３のユーザ（顧客）が指定した各シーン（場面）のシーン標題、該当シーンが含まれるデジタルビデオデータのビデオタイトル、図７に示す、該当デジタルビデオデータの開始時刻（先頭位置）からの開始時間、同じく該当デジタルビデオデータの開始時刻（先頭位置）からの終了時間、前出したオフセット時間、目的シーンのフレーム数がシーン情報として記憶保持されている。
【００６３】
また、ビデオサーバ１のビデオデータファイル４内には、各デジタルビデオデータはデータ圧縮（画像圧縮）された状態で記憶されている。
【００６４】
そして、クライアント３ａは図８に示す流れ図に従ってシーン再生処理を実施する。
【００６５】
操作パネル９を介して、ユーザ（顧客）が指定したシーン標題が入力されると（Ｒ１）、シーン情報読出部１６ａが起動してシーン情報テーブル１５ａから、該当シーン標題に対応するビデオタイトル、開始時間、終了時間、オフセット時間、フレーム数を読出す（Ｒ２）。そして、ビデオタイトル、開始時間、終了時間を送信要求に組込んで、ビデオサーバ１へ送信する（Ｒ３）。
さらに、シーン情報読出部１６ａは、読出したオフセット時間、フレーム数をデコーダ部１３ａへ送出する（Ｒ４）。
【００６６】
ビデオサーバ１の要求受信部６は、通信ＩＦ５を介してビデオタイトル、開始時間、終了時間を指定した送信要求を受信すると、このビデオタイトル、開始時間、終了時間をビデオデータ読出部７へ送出する。ビデオデータ読出部７は、ビデオデータファイル４から指定されたビデオタイトルのデータ圧縮されたデジタルビデオデータのうち開始時間、終了時間で指定された時間領域のビデオデータの読出しを開始する。ビデオデータ送信部８は読出されたデータ圧縮されたビデオデータを通信ＩＦ５及び通信網２を介して要求元のクライアント３へ送信開始する。
【００６７】
クライアント１のデータ受信部１２は、ビデオサーバ１から通信ＩＦ１１を介して該当タイトルのデジタルビデオデータのうちの開始時間、終了時間で指定されたデータ圧縮されたビデオデータを受信開始すると（Ｒ５）、デコーダ部１３ａへこのデータ圧縮されたビデオデータの送信を開始する。
【００６８】
デコーダ部１３は、データ圧縮されたビデオデータを映像信号（再生データ）に再生する。この場合、再生開始からシーン情報読出部１６ａにて指定されたオフセット時間経過した時刻から再生した画像信号（再生データ）のモニタ装置１４への送出を開始する。そして、同じくシーン情報読出部１６ａにて指定されたフレーム数分の画像信号（再生データ）を出力した時点で画像信号（再生データ）の出力を停止する（Ｒ６）。
【００６９】
したがって、モニタ装置１４には、ユーザ（顧客）が指定したシーン標題の図７に示すオフセット時間を除いた真のシーン（場面）のみが表示される。
このように、真に必要なシーンのみを再生表示させることが可能であるので、複数のシーンを集めて編集する場合における編集精度を向上させることができる。
【００７０】
【発明の効果】
以上説明したように、本発明のＶＯＤシステムにおいては、クライアント側からビデオサーバに対して、ユーザ（顧客）が必要とするシーンのデジタルビデオデータ内における時間位置時間を指定可能としている。
【００７１】
したがって、クライアントは、ビデオサーバからユーザ（顧客）が必要とするシーンのビデオデータのみを受信して再生することができ、ユーザ（顧客）にとってほぼ実時間で必要とするシーンのみを得ることができ、ユーザ（顧客）に対するサービスを大幅に向上できる。
【００７２】
さらに、シーン情報記憶部内に、開始時間、終了時間、シーン標題、タイトルの他に、オフセット時間、フレーム数をも記憶して、このオフセット時間、フレーム数をクライアントのデコーダ部を用いたダデジタルデータの再生時に用いている。
したがって、オフセット時間を除いた真に必要なシーンのみを再生表示させることが可能である。
【図面の簡単な説明】
【図１】本発明の第１実施形態に係わるＶＯＤシステムの概略構成を示すブロック図
【図２】同ＶＯＤシステムのクライアント内に形成されたシーン情報テーブルの記憶内容を示す図
【図３】同ＶＯＤシステムのクライアントにおけるシーン情報の登録処理動作を示す流れ図
【図４】同ＶＯＤシステムのクライアントにおけるシーン再生処理動作を示す流れ図
【図５】本発明の第２実施形態に係わるＶＯＤシステムの概略構成を示すブロック図
【図６】同ＶＯＤシステムのクライアント内に形成されたシーン情報テーブルの記憶内容を示す図
【図７】同ＶＯＤシステムのシーン情報テーブルに記憶された開始時間、オフセット時間、フレーム数、終了時間の相互関係を示す図
【図８】同ＶＯＤシステムのクライアントにおけるシーン再生処理動作を示す流れ図
【符号の説明】
１…ビデオサーバ
２…通信回線
３，３ａ…クライアント
４…ビデオデータファイル
５，１１…通信ＩＦ
６…要求受信部
７…ビデオデータ読出部
８…ビデオデータ送信部
９…操作パネル
１０…要求送信部
１２…データ受信部
１３，１３ａ…デコーダ部
１４…モニタ部
１５，１５ａ…シーン情報テーブル
１６，１６ａ…シーン情報読出部
１７…シーン情報作成部
１８…シーン情報登録部
１９…シーン情報編集部
【図１】
0004006142.tif 000002
【図２】
0004006142.tif 000003
【図３】
0004006142.tif 000004
【図４】
0004006142.tif 000005
【図５】
0004006142.tif 000006
【図６】
0004006142.tif 000007
【図７】
0004006142.tif 000008
【図８】
0004006142.tif 000009